【手続補正書】
【提出日】平成23年9月26日(2011.9.26)
【手続補正１】
【補正対象書類名】特許請求の範囲
【補正対象項目名】全文
【補正方法】変更
【補正の内容】
【特許請求の範囲】
【請求項１】
既存するアーチ構造（１）内にライニングを取り付ける方法であって、
前記構造は、床（７）および下面（５）を持ち、
前記下面は、前記構造の対向するする第１および第２の側面（４および４’）から路頂線（８）に向けて上向きおよび内向きに曲線を描く湾曲を持ち、
少なくとも第１および第２細長い枠要素（７０、１１０、６４０、８５０、８６０、９１０）を提供するステップであって、各枠要素は第１および第２の端部を持つステップと、
前記第１の枠要素を前記下面に隣接する設置位置に固定するステップと、
前記第２の枠要素を、前記第１の枠要素と間隔を空けて前記下面に隣接する設置位置に前記第１の枠要素とは無関係に固定するステップと、
複数のシートまたはパネル（２００）を前記設置位置の前記枠要素に付けて、前記構造内に前記シートまたはパネルを支持するステップと、
を含み、
各枠要素は柔軟性を持ち、
設置時に各枠要素はアーチ形の構造を形成し、
第１および第２の端部にそれぞれ配置された支持要素（４０、６００、１０００’）によって前記アーチ形の構造の前記設置位置に支持され、
前記アーチ形の構造は、その第１および第２の端部に前記枠要素を支持するステップと、
圧縮的なフープストレスを前記枠要素に適用するステップと、
前記枠要素を前記下面に対して押しつけるように結合するステップと、
前記下面の前記湾曲に一致するように、その第１および第２の端部の間の前記フープストレスによって前記枠要素を柔軟に変形させるステップと
によって得られることを特徴とする構造。
【請求項２】
１組の設置用具（３００）を提供するステップであって、
各ツールは、動作機構（３０３）および枠要素取付機構（３０２）を含むステップと、
前記構造の前記第１および第２の側面に前記ツールを解放可能にそれぞれ取り付けるステップと、
前記枠要素が前記ツール間に支持されるように、前記それぞれの枠要素取付機構においてその第１および第２の端部に枠要素を解放可能に取り付けるステップと、
前記枠要素を前記下面に対して押しつけるように上げるために、その前記湾曲に一致するまで、前記ツールの両方の前記動作機構を操作するステップと、
前記設置位置のその第１および第２の端部に前記枠要素を固定するステップと、
前記ツールから前記枠要素を解放し前記ツールを取り外すためのステップとを含むことを特徴とする請求項１に記載の方法
【請求項３】
前記支持要素は支柱（４０、６００、１０００’）であり、前記支柱は、前記構造のそれぞれ前記第１および第２の側面で前記床に固定され、前記ツールは、前記支柱に解放可能に取り付けられることを特徴とする請求項２に記載の方法。
【請求項４】
各枠要素に個別で細長い柔軟な防水性シールド（１４０、１４９、１５０）を取り付けるステップと、
各枠要素を前記設置位置に固定することによって、前記シールドの領域が前記枠要素と前記下面との間に配置されるステップと、
部分的にパネルに重なる前記シールドを使って前記パネルを前記枠要素に付けることによって、前記パネルおよび前記シールドが、前記下面に向かって面する撥水面をともに形成するステップと、
を含むことを特徴とする請求項１〜３のいずれかに記載の方法。
【請求項５】
既存するアーチ構造（１）内に取り付けられたライニングであって、
前記構造は、床（７）および下面（５）を持ち、
前記下面は、前記構造の対向するする第１および第２の側面（４および４’）から路頂線（８）に向けて上向きおよび内向きに曲線を描く湾曲を持ち、
前記ライニングは、少なくとも第１および第２の細長い枠要素（７０、１１０、６４０、８５０、８６０、９１０）を含み、
前記第１および第２の枠要素は、互いに無関係に取り付けおよび取り外し可能であり、
各枠要素は、第１および第２の端部を持ち、
前記枠要素は間隔を開けて固定され、それぞれが設置位置において、それぞれの支持要素（４０、６００、１０００’）によって第１および第２の端部に支持され、
複数のパネル（２００）またはシートが前記枠要素に支持され、
前記パネルまたはシートは、その前記設置位置の前記枠要素に対して取り付けおよび分離が可能であり、
その第１および第２の端部の間において、各枠要素は前記構造に付けられていないが、前記下面の前記湾曲に一致するアーチ形の構造の前記下面に隣接して延在し、
各枠要素は、設置時に適用される圧縮的なフープストレスに応じて、前記下面の前記湾曲に柔軟に一致して変形するように適応される
ことを特徴とするライニング。
【請求項６】
各枠要素は、細長く柔軟な防水性シールド（１４０、１４９、１５０）を持ち、
前記シールドは部分的に前記パネルに重なり、このため、前記パネルおよび前記シールドが、前記下面に向かって面する撥水面をともに形成する
ことを特徴とする請求項５に記載のライニング。
【請求項７】
前記支持要素は、前記構造の前記第１および第２の側面において、前記床から上向きにそれぞれ延在する支柱（４０、６００、１０００’）であり、複数の梁（１８１）が、前記支柱の間で支持され、第２の床（１８７）が、前記梁上に支持されることを特徴とする請求項５または請求項６に記載のライニング。
【請求項８】
各枠要素は、ヒンジ部（７３、１１３、８２１、８６２、９１２）によって直列に結合された複数の剛性部（７２、１１２、８２０、８６１、９１１）を含み、
前記剛性部は、前記ヒンジ部に関して、制限された移動範囲を通じて、設置時に回転可能であり、これにより、前記設置位置の前記下面から反対を向く前記枠要素の内側において、他のヒンジ部とは無関係に、それぞれのヒンジ部に鈍角を規定し、
各ヒンジ部の前記移動範囲は、前記枠要素の内側の前記それぞれの隣接する剛性部の間に優角が形成されるのを本質的に防ぐために抑制され、
各枠要素は、前記設置位置の前記下面に対して押しつけるように結合され、
前記ヒンジ部は固定されず、前記枠要素が、前記それぞれの支持要素から取り外されたときに、前記剛性部は、前記それぞれの隣接するヒンジ部に関して自由に回転できる状態のままになる
ことを特徴とする請求項５〜７のいずれかに記載のライニング。
【請求項９】
各枠要素（８５０、８６０、９１０）は、ヒンジ部（８２１、８６２、９１２）によって直列に結合された複数の剛性部（８２０、８６１、９１１）を含み、
前記剛性部は、前記ヒンジ部に関して、制限された移動範囲を通じて、設置時に回転可能であり、前記設置位置の前記下面から反対を向く前記枠要素の内側において、他のヒンジ部とは無関係に、それぞれのヒンジ部に鈍角を規定し、
各ヒンジ部は、遠隔から固定可能なロック構造（８３０、８９０、９２０）を備え、各ヒンジ部は、前記それぞれの隣接する剛性部が、前記設置位置において、前記ヒンジ部に関して回転することを防ぐために、前記それぞれのロック構造によって固定される
ことを特徴とする請求項５〜７のいずれかに記載のライニング。
【請求項１０】
既存するアーチ構造内にライニングを取り付けるためのシステムであって、
前記構造は床および下面を持ち、
前記下面は、前記構造の対向する第１および第２の側面から路頂線に向けて上向きおよび内向きに曲線を描く湾曲を持ち、
少なくとも２つの支持要素（４０、６００、１０００’）と、
少なくとも２つの細長い枠要素（７０、１１０、６４０、８５０、８６０、９１０）であって、
前記枠要素は、互いに無関係に、取り付けおよび取り外し可能であり、
各枠要素は第１および第２の端部を持ち、
前記枠要素は、それぞれの前記支持要素上の第１および第２の端部で固定可能であり、これにより、設置位置において前記下面に隣接する前記枠要素を支持する枠要素と、
複数のパネル（２００）またはシートであって、
前記設置位置に前記枠要素を設置した後に、前記枠要素に取り付け可能なパネルまたはシートと、
を含み、
少なくとも１つのフープストレス生成機構（３００）が提供され、
前記フープストレス生成機構は、それぞれの枠要素に機械的に結合されるか、または結合可能であり、
前記枠要素が、前記下面に隣接する第１および第２の端部に支持されるときに、圧縮的なフープストレスを前記それぞれの枠要素に適用するように操作可能であり、
各枠要素は、前記圧縮的なフープストレスに応じて、前記下面の前記湾曲に柔軟に一致して変形するように適応されることを特徴とするシステム。
【請求項１１】
前記少なくとも１つのフープストレス生成機構は、少なくとも１の設置用具（３００）を含み、
前記用具は、動作機構（３０３）と、
枠要素取付機構（３０２）と、
前記構造の側面に前記ツールを解放可能に取り付けるための取付機構（３０１）と、
を含み、
各枠要素は、前記枠要素取付機構上の端部の１つで解放可能に取り付け可能であり、
前記動作機構は、前記枠要素取付機構に取り付けられた枠要素を前記下面に対して押しつけるように上げるように操作できる
ことを特徴とする請求項１０に記載のシステム。
【請求項１２】
１組の前記設置用具が提供され、
各枠要素の前記第１および第２の端部は解放可能に取り付け可能であり、それぞれが前記ツールのそれぞれの前記それぞれの枠要素取付機構にあり、
各ツールは、ピボット機構（３０５）を含み、両方のツールの前記ピボット機構は、前記ツール間に取り付けられた枠要素が、静止位置から直立位置に同時に上げられることを可能にするように操作可能である
ことを特徴とする請求項１１に記載のシステム。
【請求項１３】
前記ツールまたは各ツールは、前記支持要素のそれぞれに解放可能に取り付け可能であり、前記動作機構は、前記ツールが取り付けられている前記支持要素を上向きに前記ツールを上げるように操作可能であり、
前記枠要素の前記それぞれの端部は、前記枠要素取付機構に取り付けたときに、前記それぞれのツールが取り付けられている前記支持要素に取り付け可能でもあることを特徴とする請求項１１または請求項１２に記載のシステム。
【請求項１４】
各枠要素（７０および６４０）は、ヒンジ部（７３）によって直列に結合された複数の剛性部（７２）を含む少なくとも１つの単一材料の部品を含み、
各ヒンジ部は、前記材料の柔軟に変形可能な領域を含み、
前記剛性部は、前記ヒンジ部に関して、制限された移動範囲を通じて、設置時に回転可能であり、これにより、前記設置位置の前記下面から反対を向く前記枠要素の内側において、他のヒンジ部とは無関係に、それぞれのヒンジ部に鈍角を規定し、
各ヒンジ部の前記移動範囲は、前記枠要素の内側の前記それぞれの隣接する剛性部の間に優角が形成されるのを本質的に防ぐために抑制される
ことを特徴とする請求項１０〜１３のいずれかに記載のシステム。
【請求項１５】
各枠要素は、細長く柔軟な防水性シールド（１４０、１４９、１５０）を備え、
前記パネルが前記枠要素に付けられているときに、前記シールドは前記パネルに部分的に重なるように配置され、このため、前記パネルおよび前記シールドが、前記下面に向かって面する撥水面をともに形成する
ことを特徴とする請求項１０〜１４のいずれかに記載のシステム。